(57)【要約】  一体型バッテリを有する電気活性医療装置を保持するように構成された、ケースと、電気エネルギーを供給するように構成された、通電システムと、通電システムからエネルギーを受け取り、電気活性医療装置の一体型バッテリに受け取ったエネルギーを伝達するように構成された、エネルギー伝達システムとを含む、電力供給ケースが提供される。さらに、一体型バッテリを含む、電気活性医療装置、ならびに、一体型バッテリを有する電気活性医療装置を保持するように構成された、ケースと、電気エネルギーを供給するように構成された、通電システムと、通電システムからエネルギーを受け取り、電気活性医療装置の一体型バッテリに受け取ったエネルギーを伝達するように構成された、エネルギー伝達システムとを含む、電力供給ケースを含み得る、医療装置システムが提供される。
2019504663.tif 000002
【特許請求の範囲】
【請求項１】
一体型バッテリを有する電気活性医療装置を保持するように構成された、ケースと、
電気エネルギーを供給するように構成された、通電システムと、
前記通電システムからエネルギーを受け取り、
前記電気活性医療装置の前記一体型バッテリに前記受け取ったエネルギーを伝達する
ように構成された、エネルギー伝達システムと、
を備える、電力供給ケース。
【請求項２】
前記通電システムは、バッテリを備える、請求項１に記載の電力供給ケース。
【請求項３】
前記通電システムは、外部エネルギー源から再充電されるように構成された、充電式バッテリを備える、請求項１に記載の電力供給ケース。
【請求項４】
前記通電システムは、
接触エネルギー伝達および非接触エネルギー伝達のうちの少なくとも１つによって外部エネルギー源からエネルギーを受け取るように構成された、エネルギー受取システム
を備える、請求項１に記載の電力供給ケース。
【請求項５】
前記エネルギー伝達システムは、
接触エネルギー伝達システム、および
非接触エネルギー伝達システム
のうちの少なくとも１つである、
請求項１に記載の電力供給ケース。
【請求項６】
前記一体型バッテリの放電を少なくとも部分的に補償するように、前記通電システムから前記エネルギー伝達システムを経由して前記電気活性医療装置の前記一体型バッテリへのエネルギーの前記伝達を制御するように構成された、通電コントローラを備える、請求項１に記載の電力供給ケース。
【請求項７】
前記通電コントローラは、１つまたは複数の延長された時間間隔にわたる連続的な充電プロトコルに従って、前記一体型バッテリの予め定められた放電特性を少なくとも部分的に補償するように前記電気活性医療装置の前記一体型バッテリを充電するために前記エネルギー伝達システムを制御するように構成される、請求項６に記載の電力供給ケース。
【請求項８】
前記通電コントローラは、断続的な充電プロトコルに従って、前記一体型バッテリの予め定められた放電特性を少なくとも部分的に補償するように前記電気活性医療装置の前記一体型バッテリを充電するために前記エネルギー伝達システムを制御するように構成される、請求項６に記載の電力供給ケース。
【請求項９】
前記一体型バッテリに、および前記通電コントローラに結合され、
前記電気活性医療装置の前記一体型バッテリの放電特性を監視し、
前記通電コントローラのための対応する監視信号を生成する
ように構成された、バッテリモニタ
を備える、請求項６に記載の電力供給ケース。
【請求項１０】
前記通電コントローラは、前記バッテリモニタから受け取った前記監視信号に従って、前記電気活性医療装置の前記一体型バッテリを充電するために前記エネルギー伝達システムを制御するように構成される、請求項９に記載の電力供給ケース。
【請求項１１】
前記通電コントローラは、
断続的な充電プロトコル、および
１つまたは複数の時間間隔にわたる連続的な充電プロトコル
のうちの少なくとも１つによって、前記電気活性医療装置の前記一体型バッテリを充電するために前記エネルギー伝達システムを制御するように構成される、
請求項１０に記載の電力供給ケース。
【請求項１２】
前記電気活性医療装置は、
前記電気活性医療装置の前記一体型バッテリの放電特性を監視し、
前記通電コントローラのための対応する監視信号を生成する
ように構成された、一体型バッテリモニタを含み、
前記通電コントローラは、
前記一体型バッテリモニタから前記監視信号を受け取り、
前記一体型バッテリモニタから受け取った前記監視信号に従って、前記電気活性医療装置の前記一体型バッテリを充電するために前記エネルギー伝達システムを制御する
ように構成される、
請求項６に記載の電力供給ケース。
【請求項１３】
前記通電コントローラは、
接触信号伝達、および
非接触信号伝達
のうちの少なくとも１つによって、前記一体型バッテリモニタから前記監視信号を受け取るように構成される、
請求項１２に記載の電力供給ケース。
【請求項１４】
前記通電コントローラは、
断続的な充電プロトコル、および
１つまたは複数の時間間隔にわたる連続的な充電プロトコル
のうちの少なくとも１つによって、前記電気活性医療装置の前記一体型バッテリを充電するために前記エネルギー伝達システムを制御するように構成される、
請求項１２に記載の電力供給ケース。
【請求項１５】
一体型バッテリを含む、電気活性医療装置、ならびに
前記一体型バッテリを有する前記電気活性医療装置を保持するように構成された、ケースと、
電気エネルギーを供給するように構成された、通電システムと、
前記通電システムからエネルギーを受け取り、
前記電気活性医療装置の前記一体型バッテリに前記受け取ったエネルギーを伝達する
ように構成された、エネルギー伝達システムと、
を含む、電力供給ケース
を備える、医療装置システム。
【請求項１６】
前記電気活性医療装置は、電気活性眼内レンズ、ペースメーカー、植込み型薬物送達システム、神経刺激器、生体内センサ、および充電式バッテリを有する医療装置のうちの１つである、請求項１５に記載の医療装置システム。
【発明の詳細な説明】
【技術分野】
【０００１】
本特許文献は、電子および光電子医療装置に関する。より詳細には、本特許文献は、電気活性医療装置用の電力供給ケースに関する。
【背景技術】
【０００２】
電気活性医療装置のリストは日毎に拡大している。リストは、電気活性眼内レンズ、ペースメーカー、植込み型薬物送達システム、神経刺激器、生体内センサ、および充電式バッテリを有する医療装置を含む。
【０００３】
これらの電気活性医療装置の相当な割合が、それらのオンボード電子装置を通電するために、一体型、またはオンボードのバッテリを含む。植込み型医療装置に関して、それらが消耗するまで医療装置に通電することができる充電式バッテリが使用され、消耗した時点でそれらは医療装置を使用可能な状態に保つために再充電される。
【０００４】
充電が完了した時点で、充電式バッテリは、すべてのバッテリとまったく同じように、それらの充電、したがってそれらが貯蔵するエネルギーを失い始める。この「自己放電」プロセスを補償して、医療装置のバッテリの充電状態をそれらの製造の後に十分に高く保つことのいくつかの利点がある。
【０００５】
主要な理由の１つは、自己放電が過度になることを許し、バッテリの充電状態が下側閾値未満に著しく降下することを許すと、広範なクラスのバッテリの性能が加速劣化を呈することである。このような過度の自己放電の後、バッテリは、不可逆的電気化学反応のため、もはや同じエネルギーレベルに再充電することはできず、バッテリのエネルギー貯蔵能力は劣化を呈する。このような劣化したバッテリは、より頻繁に再充電することを必要とし、再充電の間のより短い期間だけ稼働することができる。これらの要因の両方が、それらの機能性に悪影響を及ぼす。さらに、このような過度に自己放電したバッテリの全体的な有用寿命は、同様に縮小することが多い。
【０００６】
第２に、医療装置のバッテリの製造と、装置の患者への植込みとの間に、相当な期間が経過することがある。この期間に、自己放電は、バッテリに貯蔵されたエネルギーの相当な割合の損失につながることがあり、したがって植込みの後バッテリが再充電を必要とするまでの時間を減らし、場合によっては植込み後に植込み医療装置を使用不可能にすることさえある。
【０００７】
これらすべての理由で、植込み型電気活性医療装置の一体型オンボードバッテリの自己放電を、それらの充電状態を下側閾値より上に保つことによって、それらの製造とそれらの植込みとの間で補償する必要がある。
【０００８】
いくつかの簡単な解決策は特に実行可能でないことがわかる。例えば、自己放電の後でさえも、その充電状態が下側閾値より上に留まるように、オンボードバッテリをその製作の時点で過充電しようとすることができる。しかしながら、上側閾値を上まわるこのような過充電は、下側閾値を下まわる充電状態の悪化によって引き起こされる性能劣化に匹敵する性能劣化につながることがある。
【０００９】
バッテリ製造業者および装置製造業者は、同様に、眼科外科医にバッテリの製造後短期間内に装置を植え込むように助言することができる。しかしながら、装置の販売は予想以上の時間がかかる場合があり、または、外科医は医療装置の購入後に望ましい期間よりも長い期間医療装置を保管する場合があるから、全体的な流通プロセスは、装置製造業者の管理の範囲内ではない。仲介プロセスを管理することなく、医療装置製造業者は、その製品装置の性能について必要とされる保証を提供することができない。
【００１０】
最後に、医療倉庫中、輸送中、および病院貯蔵施設中を含む、流通プロセスの中間停止時に手作業で定期的にバッテリの充電状態を検査する人間モニタなどの、定期的充電状態監視プロトコルが医療装置の製造後に医療装置の仲介管理者によって必要とされることがある。しかしながら、この手法は、人的過誤を受けやすく、労働集約的であり、相当な人間の労働力を運用することを必要として、かなりの間接費をもたらす。
【００１１】
上記のすべての理由で、電気活性医療装置のオンボードバッテリの自己放電をそれらの製造と電気活性医療装置の植込みとの間で補償するために、新しい解決策が必要とされる。
【発明の概要】
【課題を解決するための手段】
【００１２】
本特許文献における実施形態は、一体型バッテリを有する電気活性医療装置を保持するように構成された、ケースと、電気エネルギーを供給するように構成された、通電システムと、通電システムからエネルギーを受け取り、電気活性医療装置の一体型バッテリに受け取ったエネルギーを伝達するように構成された、エネルギー伝達システムとを含む、電力供給ケースを導入することによって、上記の課題に対処する。
【００１３】
さらに、一体型バッテリを含む、電気活性医療装置、ならびに、一体型バッテリを有する電気活性医療装置を保持するように構成された、ケースと、電気エネルギーを供給するように構成された、通電システムと、通電システムからエネルギーを受け取り、電気活性医療装置の一体型バッテリに受け取ったエネルギーを伝達するように構成された、エネルギー伝達システムとを含む、電力供給ケースを含み得る、医療装置システムが提供される。
【図面の簡単な説明】
【００１４】
【図１】電力供給ケース１００を例示する。
【図２】通電システム１４０の実施形態を例示する。
【図３Ａ−Ｂ】エネルギー伝達システム１５０の実施形態を例示する。
【図４】通電コントローラ１６０を有する電力供給ケース１００を例示する。
【図５】バッテリモニタ１７０を有する電力供給ケース１００を例示する。
【図６】一体型バッテリモニタ１８０を有する電力供給ケースを例示する。
【図７】電力供給ケース１００を有する医療装置システム２００を例示する。
【発明を実施するための形態】
【００１５】
本明細書で説明される実施形態は、一体型バッテリを有する電気活性医療装置を保持するための電力供給ケース、または容器を導入することによって、上記のニーズおよび課題に対処する。電力供給ケースは、一体型バッテリが最適な充電範囲内に充電され続けるようにさまざまな機構を伴い得る。
【００１６】
電力供給ケースの実施形態は、電気活性眼内レンズ（ＩＯＬ）、または電力供給コンタクトレンズを収納するために使用することができる。他の実施形態は、他のタイプの電力供給植込み型医療装置を収納するために使用することができる。医療装置は、電気活性眼内レンズ（ＩＯＬ）のバッテリのような交換しにくいバッテリを有する場合があり、したがって、機能装置寿命は、バッテリ寿命によって限定され得る。
【００１７】
本電力供給ケースとの組合せから恩恵を受けることができるさらに他の医療装置は、植込み型薬物送達システム、神経刺激器、生体内センサ、および充電式バッテリを有する任意の装置を含む。
【００１８】
バッテリ依存電気活性医療装置を電力供給ケースに格納する利点は、バッテリが、望ましい充電範囲内に電力供給ケースによって保たれ、したがってバッテリの寿命を名目上達成可能な寿命に近く保つことである。前に述べた通り、例えば、非常に広く使用されるリチウムイオン電池の寿命は、それらの充電状態が閾値未満に低下する程度までそれらが過度に自己放電する場合、著しく縮小する。この理由で、ここで説明される電力供給ケースに電気活性医療装置を格納することにより、ときには相当な割合で、それらの予想稼働寿命を延長することができる。さらに、交換式バッテリを有する電気活性医療装置に関して、それらを電力供給ケースに格納することにより、必要とされるバッテリ交換の間の時間が増加する。いくつかの医療装置に関して、不都合なことにこのようなバッテリ交換は、場合によっては手術を伴う、重要な介入を必要とするおそれがある。
【実施例】
【００１９】
図１は、一体型バッテリ１３０を有する電気活性医療装置１２０を保持するように構成された、ケース１１０と、電気エネルギーを供給する、通電システム１４０と、通電システム１４０からエネルギーを受け取り、電気活性医療装置１２０の一体型バッテリ１３０に受け取ったエネルギーを伝達するように構成された、エネルギー伝達システム１５０とを含む、電力供給ケース１００の実施形態を例示する。図１で、電気活性医療装置１２０は、これらの実施形態で、それが電力供給ケース１００の一部でないことを例示するために破線で表される。電力供給ケース１００の実施形態は、異なるタイプの電気活性医療装置を充電すること、または同じタイプの電気装置を繰返し充電することが可能であるように構成することができる。
【００２０】
図２は、通電システム１４０の少なくとも４つの実施形態を例示する。いくつかの実施形態で、通電システム１４０は、バッテリ１４０ａを含み得る。このバッテリ１４０ａは、長期間にわたって放電するとき交換を必要とする場合がある、「一次」非充電式バッテリとすることができる。
【００２１】
いくつかの実施形態で、通電システム１４０は、充電式バッテリ１４０ｂを含み得る。この「二次」充電式バッテリ１４０ｂは、外部エネルギー源から再充電することができる。通電システム１４０のいくつかの実施形態は、充電ポートを含むことができ、この充電ポートを通した直接的な電気的接触を介して充電式バッテリ１４０ｂを再充電することができる。通電システム１４０のいくつかの実施形態は、電磁誘導充電システムの受電端子を含むことができ、非接触誘導充電を通して充電式バッテリ１４０ｂを再充電することができる。
【００２２】
いくつかの実施形態で、通電システム１４０は、１４０ａ、または１４０ｂのようなバッテリを含まない場合がある。その代わりに、通電システム１４０は、接触エネルギー伝達によって外部エネルギー源１４１からエネルギーを受け取るように構成された、接触エネルギー受取システム１４０ｃを含み得る。このようなエネルギー受取システム１４０ｃの簡単な実施形態は、外部的にアクセス可能なプラグまたはソケットを含むことができ、ＡＣ／ＤＣアダプタと同様に、電気コンセント、主電源ＡＣ、または外部バッテリへの直接的な、または接触的な、電気結合を形成し、６または１２ＶのＤＣ電圧になど、エネルギー伝達システム１５０に適した電力に、グリッドＡＣ電力を下げることができる。外部エネルギー源１４１の他の実施形態は、燃料電池、エネルギーハーベスタ、一次電池、または別の再充電可能電池を含む、多種多様なエネルギー源から選択することができる。
【００２３】
別の、非バッテリベースの通電システム１４０は、非接触エネルギー受取システム１４０ｄを含み得る。いくつかの実施形態で、この非接触エネルギー受取システム１４０ｄは、電磁誘導充電システムの受電部とすることができ、エネルギーは、外部の非接触外部エネルギー源１４２によって供給される。エネルギーはそのとき、非接触外部エネルギー源１４２から非接触エネルギー受取システム１４０ｄへ、誘導などの非接触機構を介して伝達され得る。いくつかの実施形態で、この伝達は、非接触エネルギー受取システム１４０ｄ内の受電二次コイルに向かって、非接触エネルギー源１４２内の一次コイルによって容易にされる。
【００２４】
電力供給ケース１００のいくつかの実施形態で、２つ以上の通電システム１４０の組合せを利用することができる。
【００２５】
図３Ａ〜図３Ｂは、電力供給ケース１００のエネルギー伝達システム１５０のさまざまな実施形態を例示する。図３Ａの実施形態で、エネルギー伝達システム１５０は、接触エネルギー伝達システム１５０ａとすることができる。簡単な事例で、この接触エネルギー伝達システム１５０ａは、エネルギー伝達システム１５０ａから電気活性医療装置１２０の一体型バッテリ１３０への直接的な、または接触的な、電気結合をなす、プラグ、またはソケットの、配置を含み得る。接触エネルギー伝達システム１５０ａは、調整回路、または変圧器を同様に含むことができ、通電システム１４０から一体型バッテリ１３０へのエネルギーの伝達を制御することができる。
【００２６】
図３Ｂは、エネルギー伝達システム１５０のいくつかの実施形態が非接触エネルギー伝達システム１５０ｂを含み得ることを例示する。このような非接触エネルギー伝達実施形態１５０ｂは、電磁誘導充電システムの一次コイルを含むことができ、その場合、電気活性医療装置１２０は、一次コイルから伝達されたエネルギーを受け取る二次コイル、またはピックアップコイルを含み得る。
【００２７】
図４は、電力供給ケース１００のいくつかの実施形態が、通電システム１４０からエネルギー伝達システム１５０を経由して電気活性医療装置１２０の一体型バッテリ１３０へのエネルギーの伝達を制御するように構成された、通電コントローラ１６０を含むことができ、一体型バッテリ１３０の放電、または自己放電を少なくとも部分的に補償し得ることを例示する。
【００２８】
いくつかの実施形態で、通電コントローラ１６０は、１つまたは複数の延長された時間間隔にわたる連続的な充電プロトコルに従って、一体型バッテリ１３０の予め定められた放電特性を少なくとも部分的に補償するように電気活性医療装置１２０の一体型バッテリ１３０を充電するためにエネルギー伝達システム１５０を制御するように構成することができる。一実施形態で、一体型バッテリ１３０の放電特性は、現実的な環境を模倣している実験室設定で測定された、または予め定められた、予想放電曲線とすることができる。この予想放電曲線を使用して、一体型バッテリ１３０の放電を補償することを目指したエネルギー伝達プロトコルを作成するか、または予め定めることができる。
【００２９】
一実施形態で、これは、一体型バッテリ１３０の放電曲線、または放電特性を予め定め、そして次に、望ましい稼働充電状態からの範囲内で、言及した下側閾値を上まわる、一体型バッテリ１３０の充電状態を保つために予想される、補償充電プロトコル、または通電プロトコルを計算することによって、実現することができる。非公式の意味で、通電コントローラ１６０は、バッテリの予想放電を補償するために通電システム１４０からのエネルギーを一体型バッテリ１３０に「補充する」ようにエネルギー伝達システム１５０を制御することができる。いくつかの実施形態で、エネルギー伝達システム１５０は、一体型バッテリ１３０の充電状態をその公称レベルまたは設計レベルの８０％より上に保つために予想される、予め定められた充電プロトコルを遂行することによって、一体型バッテリ１３０の予想放電を補償することができる。他の実施形態で、充電プロトコルは、一体型バッテリ１３０の充電状態を公称レベルまたは設計レベル上の９０％より上に保つように設計することができる。
【００３０】
いくつかの実施形態で、通電コントローラ１６０は、連続的な充電「トリクル」プロトコルによって一体型バッテリ１３０に対して充電を伝達するようにエネルギー伝達システム１５０を制御することができる。この充電伝達プロトコルは、間隔にまたがって連続的とし得るが、間隔の間で一時停止してもよい。
【００３１】
他の実施形態で、通電コントローラ１６０は、断続的な充電プロトコルに従って、一体型バッテリ１３０を充電するようにエネルギー伝達システム１５０を制御することができる。例えば、エネルギー伝達システム１５０は、短い時間間隔にわたって起きるバーストで一体型バッテリ１３０を充電し、充電を伴わない「休止状態」のより長い期間がそれに続いてもよい。他の実施形態で、エネルギー伝達システム１５０は、時間とともに変化するレベルで一体型バッテリ１３０を充電してもよい。多数の断続的なプロトコルがさまざまな実施形態で使用され得る。図４に関連して説明された、通電コントローラ１６０の実施形態は、通常、フィードバック、または一体型バッテリ１３０の充電状態の直接的な感知もしくは監視に頼らず、予め定められたプロトコルに従って一体型バッテリ１３０へのエネルギー伝達を制御する。
【００３２】
図５は、いくつかのタイプの予め定められていない情報が通電コントローラ１６０によって同様に使用される、実施形態を例示する。実施形態で、電力供給ケース１００は、このような予め定められていない情報を提供するバッテリモニタ１７０を含み得る。いくつかの実施形態で、バッテリモニタは、一体型バッテリ１３０に、および通電コントローラ１６０に結合することができる。バッテリモニタ１７０は、一体型バッテリ１３０の放電特性を監視し、通電コントローラ１６０のための対応する監視信号を生成するように、設計することができる。これらの実施形態で、通電コントローラ１６０は、バッテリモニタ１７０から受け取った監視信号に従って、一体型バッテリ１３０を充電するようにエネルギー伝達システム１５０を制御することができる。
【００３３】
いくつかの実施形態で、バッテリモニタ１７０は、電圧センサを含み得る。一体型バッテリ１３０の電圧が予め定められた閾値未満に低下したことを電圧センサが感知すると、バッテリモニタ１７０は、一体型バッテリ１３０の電圧を閾値電圧より上に戻して上昇させるために、通電システム１４０から一体型バッテリ１３０へのエネルギー伝達システム１５０による充電動作を開始するように、通電コントローラ１６０のための監視信号を生成することができる。
【００３４】
図４の実施形態と同様に、通電コントローラ１６０は、断続的な充電プロトコルによって、または１つもしくは複数の時間間隔にわたる連続的な充電プロトコルによって、一体型バッテリ１３０を充電するためにエネルギー伝達システム１５０を制御するように構成することができる。いくつかの設計で、通電コントローラ１６０は、単に、エネルギー伝達システム１５０に格納されたエネルギー伝達プロトコルを実行するようにエネルギー伝達システム１５０に命じる制御信号を提供し得る。他の設計で、通電コントローラ１６０は、通電プロトコルそれ自体を格納し得る。
【００３５】
図６は、電力供給ケース１００の別の実施形態を例示する。図５の実施形態で、バッテリモニタ１７０は、医療装置１２０の外部の、電力供給ケース１００の一部であった。それと対照的に、図６の実施形態は、電気活性医療装置１２０が一体型バッテリモニタ１８０を含む実施形態を例示する。この一体型バッテリモニタ１８０の機能は、バッテリモニタ１７０の機能に類似とすることができ、一体型バッテリモニタ１８０は、一体型バッテリ１３０の放電特性を監視し、通電コントローラ１６０のための対応する監視信号を生成するように構成することができる。
【００３６】
これらの実施形態で、通電コントローラ１６０は、一体型バッテリモニタ１８０から監視信号を受け取り、一体型バッテリモニタ１８０から受け取った監視信号に従って、一体型バッテリ１３０を充電するためにエネルギー伝達システム１５０を制御するように構成することができる。監視信号は、一体型バッテリモニタ１８０から通電コントローラ１６０への有線の直接結合を介した接触信号伝達を通して伝達することができる。他の実施形態で、それは、ブルートゥースシステムによって、または任意の他のワイヤレス信号伝達技術によってなど、非接触信号経路を介して伝達することができる。
【００３７】
他の実施形態のように、通電コントローラ１６０は、断続的な充電プロトコルによって、または１つもしくは複数の時間間隔にわたる連続的な充電プロトコルによって、一体型バッテリ１３０を充電するためにエネルギー伝達システム１５０を制御するように構成することができる。
【００３８】
図７は、電力供給ケース１００だけでなく、一体型バッテリ１３０を含み得る電気活性医療装置１２０を同様に含み得る、医療装置システム２００の実施形態を例示する。電力供給ケース１００は、図１〜図６に関連して説明された実施形態のいずれかに類似とすることができる。したがって、それは、一体型バッテリ１３０を有する電気活性医療装置１２０を保持するケース１００と、電気エネルギーを供給するように構成された、通電システム１４０と、通電システム１４０からエネルギーを受け取り、電気活性医療装置１２０の一体型バッテリ１３０に受け取ったエネルギーを伝達するように構成された、エネルギー伝達システム１５０とを含み得る。
【００３９】
本明細書は多くの詳細を含んでいるが、これらは、本発明の範囲に対する限定または特許請求され得るものの限定として解釈されるべきではなく、むしろ、特定の実施形態に特有の特徴の説明として解釈されるべきである。個々の実施形態に関連して本明細書で説明される、ある特定の特徴は、同様に、単一の実施形態の中で組み合わせて実施してもよい。逆に、単一の実施形態に関連して説明される、さまざまな特徴は、同様に、複数の実施形態で個々に実施してもよく、または任意の適切な部分的組合せで実施してもよい。さらに、特徴は、ある特定の組合せで作用するものとして上で説明することができ、初めにそのようなものとして特許請求することさえできるが、特許請求された組合せからの１つまたは複数の特徴は、場合によっては、組合せから削除することができ、特許請求される組合せは、部分的組合せまたは部分的組合せの変形形態を対象とすることができる。
【図１】
2019504663.tif 000003
【図２】
2019504663.tif 000004
【図３Ａ−Ｂ】
2019504663.tif 000005
【図４】
2019504663.tif 000006
【図５】
2019504663.tif 000007
【図６】
2019504663.tif 000008
【図７】
2019504663.tif 000009
【国際調査報告】
2019504663.tif 000010
2019504663.tif 000011
2019504663.tif 000012